(57)【要約】【課題】防爆用照明器具の光源としてＬＥＤ（発光ダイオード）を用い、消費電力が小さく、小型化、簡易化、低コスト化を図ることができる防爆照明器具および防爆照明システムを提供すること目的とする。【解決手段】防爆照明器具１０では、電源部から所定の直流電圧が電気ケーブル２０３を介して供給されると、電気ケーブル１０７を介してＬＥＤランプ１０３が配設されたプリント基板１０４に電力が供給される。ＬＥＤランプ１０３に電力が供給されると、ＬＥＤランプ１０３は発光する。そして、ＬＥＤランプ１０３から出射された光は、光拡散板１０５によって拡散され、光透過部１０６を通過して外部に照射される。光源にＬＥＤを用いることによって、防爆照明器具１０で消費される電力を大幅に削減することができ、電気ケーブル２０３における電圧降下を抑制できる。【選択図】図１
2005093246.tif 000002
【特許請求の範囲】
【請求項１】
少なくとも一つの面に光透過窓を有する密閉された器具筐体と；
前記器具筐体内に前記光透過窓と対向して配置されたＬＥＤを光源とする照明装置と；
前記器具筐体の一つの面に突設され、密閉された筐体からなる電源導入用の電気ケーブル分岐筐体と；
前記電気ケーブル分岐筐体を気密に貫通して配設された主電気ケーブルと；
前記電気ケーブル分岐筐体内で前記主電気ケーブルから分岐し、前記器具筐体を気密に貫通して前記照明装置に接続された分岐電気ケーブルと；
を具備したことを特徴とする防爆照明器具。
【請求項２】
前記光源の光出射側面または前記光透過窓に面して設置され、前記光源から出射された光を拡散させる光拡散板をさらに具備したことを特徴とする請求項１記載の防爆照明器具。
【請求項３】
前記主電気ケーブル間の接合部が、前記電気ケーブル分岐筐体内にあることを特徴とする請求項１または２記載の防爆照明器具。
【請求項４】
少なくとも一つの面に光透過窓を有する密閉された器具筐体と；
前記器具筐体内に前記光透過窓と対向して配置されたＬＥＤを光源とする照明装置と；
前記器具筐体の一つの面に突設され、密閉された筐体からなる電源導入用の電気ケーブル分岐筐体と；
前記電気ケーブル分岐筐体を気密に貫通して配設された主電気ケーブルと；
前記電気ケーブル分岐筐体内で前記主電気ケーブルから分岐し、前記器具筐体を気密に貫通して前記照明装置に接続された分岐電気ケーブルと；
前記光源の光出射側面または前記光透過窓に面して設置され、前記光源から出射された光を拡散させる光拡散板と；
を備える防爆照明器具が複数個前記主電気ケーブルによって電気的に接続された防爆照明器具群と；
耐圧防爆用の筐体内に設けられ、供給電源から供給される交流電圧を直流電圧に整流し、かつ所定の値の電圧を前記主電気ケーブルを介して前記複数の防爆照明器具に供給する電源部と；
を具備したことを特徴とする防爆照明システム。
【発明の詳細な説明】
【技術分野】
【０００１】
本発明は、例えば、可燃性ガスや気化すると可燃性ガスとなる液体を圧送する配管が設置される洞道などに設置される防爆用照明器具に関し、特に、光源としてＬＥＤ（発光ダイオード）を備えた防爆照明器具および防爆照明システムに関する。
【背景技術】
【０００２】
可燃性ガスや気化すると可燃性ガスとなる液体を圧送する配管が設置される洞道などに設置される従来の防爆用照明器具には、蛍光ランプやＨＩＤランプなどの放電ランプが用いられていた（例えば、非特許文献１参照。）。この放電ランプを用いる場合には、放電開始のために、またその動作電流または電力を安定させるために、スタータ、点火装置および安定器などの装置を必要とし、これらの装置は、各防爆用照明器具に備えられていた。また、従来の防爆用照明器具に使用されている放電ランプの消費電力は、少なくとも２０Ｗ程度であるのが一般的である。
【非特許文献１】東芝施設・屋外照明２００２−２００３カタログ，東芝ライテック株式会社，ｐ.２６９−２７５
【発明の開示】
【発明が解決しようとする課題】
【０００３】
上記した従来の防爆用照明器具では、蛍光ランプやＨＩＤランプなどが用いられているため、各防爆用照明器具の内部または近傍に、例えば、スタータ、点火装置および安定器などの装置を備えなければならず、装置の小型化、簡易化を図ることが困難であった。
【０００４】
また、従来の防爆用照明器具では、少なくとも消費電力が２０Ｗ程度のランプが備えられていることが一般的である。例えば、洞道のような場所に配設される、この防爆用照明器具を複数連結して構成した防爆照明システムでは、配線される電気ケーブルが長く、この電気ケーブルによって１つの防爆用照明器具に少なくとも２０Ｗという比較的大きな電力を供給するため、電気ケーブルにおける電圧降下が問題となっている。従来の防爆照明システムでは、この電気ケーブルにおける電圧降下を抑制すること、および１つの防爆用照明器具に少なくとも２０Ｗの電力を安定に供給することを両立させるため、太い電気ケーブルを用いて電力を供給しなければならず、防爆照明システムの設置工事の煩雑化の解消、防爆照明システムの小型化、低コスト化を図ることが困難であった。
【０００５】
本発明では、上記したような課題を解決するために、防爆用照明器具の光源としてＬＥＤ（発光ダイオード）を用い、消費電力が小さく、小型化、簡易化、低コスト化を図ることができる防爆照明器具および防爆照明システムを提供すること目的とする。
【課題を解決するための手段】
【０００６】
請求項１記載の防爆照明器具は、少なくとも一つの面に光透過窓を有する密閉された器具筐体と；前記器具筐体内に前記光透過窓と対向して配置されたＬＥＤを光源とする照明装置と；前記器具筐体の一つの面に突設され、密閉された筐体からなる電源導入用の電気ケーブル分岐筐体と；前記電気ケーブル分岐筐体を気密に貫通して配設された主電気ケーブルと；前記電気ケーブル分岐筐体内で前記主電気ケーブルから分岐し、前記器具筐体を気密に貫通して前記照明装置に接続された分岐電気ケーブルと；を具備したことを特徴とする。
【０００７】
請求項１記載の防爆照明器具によれば、光源にＬＥＤを用いることによって、防爆照明器具で消費される電力を大幅に削減することができる。また、この防爆照明器具は、従来の蛍光ランプやＨＩＤランプなどを光源とする防爆照明器具に用いられる、例えば、スタータ、点火装置および安定器などの装置を備える必要がないので、装置の小型化、軽量化、簡易化、低コスト化を図ることができる。また、防爆照明器具を構成する器具筐体や電気ケーブル分岐筐体は、例えば、接触によって火花などを生じない、例えば、アルミニウム、銅などで構成されている。また、照明装置の光源として、少なくとも１つのＬＥＤが配設され、この光源は、例えば、プリント基板などに配設されている。また、複数のＬＥＤを一体化した構造にしてもよい。さらに、ＬＥＤからの光が光透過窓に向かうように、例えば、照明装置内に反射体や光学レンズなどを配設してもよい。また、光透過窓は、ＬＥＤから出射された光を透過し、外部に照射させるもので、例えば、強化ガラスなどで構成される。この光透過窓は、ＬＥＤから出射される波長の光に対して透過率の高い材料で構成されることが好ましい。
【０００８】
請求項２記載の防爆照明器具は、請求項１記載の防爆照明器具において、前記光源の光出射側面または前記光透過窓に面して設置され、前記光源から出射された光を拡散させる光拡散板をさらに具備したことを特徴とする。
【０００９】
請求項２記載の防爆照明器具によれば、光拡散板を設けることによって、外部に照射される光が拡散されるので、照射領域の拡大を図ることができる。この光拡散板は、照明装置に備えられたＬＥＤから出射された光を拡散させ、より広い範囲の領域に光を照射させるものであり、例えば、プリズム、凹レンズ、拡散率の高い材料などで構成される。また、光拡散板は、ＬＥＤから出射される波長の光に対して透過率の高い材料で構成されることが好ましい。
【００１０】
請求項３記載の防爆照明器具は、請求項１または２記載の防爆照明器具において、前記主電気ケーブル間の接合部が、前記電気ケーブル分岐筐体内にあることを特徴とする。
【００１１】
請求項３記載の防爆照明器具によれば、主電気ケーブル間の接合部が電気ケーブル分岐筐体内に位置するので、例えば、可燃性ガスなどを圧送する配管が設置される洞道などに設置することができ、そのような場所でも安全に光を照射することができる。
【００１２】
請求項４記載の防爆照明システムは、少なくとも一つの面に光透過窓を有する密閉された器具筐体と；前記器具筐体内に前記光透過窓と対向して配置されたＬＥＤを光源とする照明装置と；前記器具筐体の一つの面に突設され、密閉された筐体からなる電源導入用の電気ケーブル分岐筐体と；前記電気ケーブル分岐筐体を気密に貫通して配設された主電気ケーブルと；前記電気ケーブル分岐筐体内で前記主電気ケーブルから分岐し、前記器具筐体を気密に貫通して前記照明装置に接続された分岐電気ケーブルと；前記光源の光出射側面または前記光透過窓に面して設置され、前記光源から出射された光を拡散させる光拡散板と；を備える防爆照明器具が複数個前記主電気ケーブルによって電気的に接続された防爆照明器具群と；耐圧防爆用の筐体内に設けられ、供給電源から供給される交流電圧を直流電圧に整流し、かつ所定の値の電圧を前記主電気ケーブルを介して前記複数の防爆照明器具に供給する電源部と；を具備したことを特徴とする。
【００１３】
請求項４記載の防爆照明システムによれば、光源にＬＥＤを用いることによって、防爆照明器具で消費される電力を大幅に削減することができる。また、各防爆照明器具における消費電力が小さいので、電力を供給するための主電気ケーブルは、従来の蛍光ランプやＨＩＤランプなどを光源とする防爆照明器具に比べて、細い電気ケーブルを使用することができ、低コスト化、取り付けの簡易化などを図ることができる。さらに、光拡散板を設けることによって、外部に照射される光が拡散されるので、照射領域の拡大を図ることができる。
【発明の効果】
【００１４】
請求項１記載の防爆照明器具によれば、光源にＬＥＤを用いることによって、防爆照明器具で消費される電力を大幅に削減することができる。また、この防爆照明器具は、従来の蛍光ランプやＨＩＤランプなどを光源とする防爆照明器具に用いられる、例えば、スタータ、点火装置および安定器などの装置を備える必要がないので、装置の小型化、軽量化、簡易化、低コスト化を図ることができる。さらに、光源にＬＥＤを用いることによって、供給する電力を大幅に削減できるので、主電気ケーブルにおける電圧降下が非常に小さく、主電気ケーブルを従来の蛍光ランプやＨＩＤランプなどを光源とする防爆照明システムに比べて細くすることができる。これによって、比較的長い主電気ケーブルを用いて設置する、例えば、洞道、トンネルでの設置工事を省力することができ、さらに低コスト化などを図ることができる。
【００１５】
請求項２記載の防爆照明器具によれば、光拡散板を設けることによって、外部に照射される光が拡散されるので、照射領域の拡大を図ることができる。
【００１６】
請求項３記載の防爆照明器具によれば、主電気ケーブル間の接合部が電気ケーブル分岐筐体内に配置されるので、例えば、可燃性ガスなどを圧送する配管が設置される洞道などに設置することができ、そのような場所でも安全に光を照射することができる。
【００１７】
請求項４記載の防爆照明システムによれば、光源にＬＥＤを用いることによって、防爆照明器具で消費される電力を大幅に削減することができる。さらに、光源にＬＥＤを用いることによって、供給する電力を大幅に削減できるので、主電気ケーブルにおける電圧降下が非常に小さく、主電気ケーブルを従来の蛍光ランプやＨＩＤランプなどを光源とする防爆照明システムに比べて細くすることができる。これによって、比較的長い主電気ケーブルを用いて設置する、例えば、洞道、トンネルでの設置工事を省力することができ、さらに低コスト化などを図ることができる。。
【発明を実施するための最良の形態】
【００１８】
以下、本発明の一実施の形態を、図面に基づいて説明する。
【００１９】
図１は、本発明の一実施形態における防爆照明器具１０の正面を示す平面図である。図２は、図１のＡ−Ａ断面の一部を示す図である。また、図３は、図２のＢ−Ｂ断面を示す図である。
【００２０】
この防爆照明器具１０は、例えば、可燃性ガスや気化すると可燃性ガスとなる液体を圧送する配管が設置される洞道などの壁面に設置され使用される。
【００２１】
図１〜３に示すように、防爆照明器具１０は、洞道などの壁面に固定され、器具筐体として機能する器具本体１００と、この器具本体１００に接続され、電気ケーブル分岐筐体として機能するケーブル分岐本体２００とによって主に構成されている。
【００２２】
まず、器具本体１００の構成について説明する。
器具本体１００は、一方が円形で他方が矩形の所定の厚さを有する部材であって、一方の円形の部分に底部を有する円筒状の凹部が形成された器具本体凹部１０１と、他方の矩形側からこの器具本体凹部１０１に連通するように開口された貫通部１０２とで構成されている。また、この貫通部１０２は、２つの開口径を有する貫通孔１０２ａ、１０２ｂによって形成され、器具本体凹部１０１に連通する貫通孔１０２ａの方の径が貫通孔１０２ｂの径よりも小さく形成されている。さらに、器具本体１００は、器具本体凹部１０１を螺設などによって気密に封鎖するための器具本体蓋部１０９によって構成される。
【００２３】
防爆照明器具１０は、例えば、可燃性ガスや気化すると可燃性ガスとなる液体を圧送する配管が設置される洞道などの壁面に設置されるので耐圧防爆構造となっており、防爆照明器具１０を構成する器具本体１００やケーブル分岐本体２００の部材は、接触によって火花などを生じない、例えば、アルミニウム、銅などで構成されている。
【００２４】
また、器具本体凹部１０１には、照明装置として機能する複数のＬＥＤランプ１０３が配設されたプリント基板１０４が設置されている。また、ＬＥＤランプ１０３には、ＬＥＤランプ１０３の光を出射する側を覆うように、光拡散板１０５が設けられている。このＬＥＤランプ１０３は、防爆照明器具１０が設置される設置状態によって適宜にその配列が決定されることが好ましく、例えば、防爆照明器具１０が、図１に示す状態で、洞道の通路に沿って設置される場合には、ＬＥＤランプ１０３は、洞道の通路に沿う方向への配列、つまり図１に示すように横方向に長い配列が好ましい。なお、防爆照明器具１０は、洞道の壁面に、器具本体１００の側面に設けられた接続部１００ａの貫通孔を利用して固定される。
【００２５】
また、このＬＥＤランプ１０３の出射光は、白色が好ましいが、この発光色に限られるものではない。なお、プリント基板１０４は、器具本体凹部１０１の内壁と、例えば、支持部材（図示しない）を介して所定の位置に固定される。
【００２６】
また、ＬＥＤランプ１０３の光を出射する側を覆うように設けられた光拡散板１０５は、ＬＥＤランプ１０３から出射された光を拡散させ、より広い範囲の領域に光を照射させるものであり、例えば、プリズム、凹レンズ、拡散率の高い材料などで構成される。なお、この光拡散板１０５は、ＬＥＤランプ１０３の光を出射する側を覆うように設けられる構成に限るものではなく、例えば、光透過窓として機能する光透過部１０６のＬＥＤランプ１０３側またはその反対側に面して配置されてもよい。また、光透過部１０６自体を光拡散板１０５で構成してもよい。また、ここで使用される光拡散板１０５は、ＬＥＤランプ１０３から出射される波長の光に対して透過率の高い材料で構成されることが好ましい。
【００２７】
複数のＬＥＤランプ１０３が配設されたプリント基板１０４には、電気ケーブル１０７が電気的に接続されている。そのプリント基板１０４に電気的に接続された電気ケーブル１０７の他端は、器具本体凹部１０１に連通するように開口された貫通部１０２を介して、器具本体１００に接続されるケーブル分岐本体２００内に導入される。この際、貫通部１０２の径の大きな貫通孔１０２ｂには、パッキン１０８が設けられ、貫通孔１０２ｂに挿入される電気ケーブル１０７は、このパッキン１０８を介して貫通孔１０２ｂの壁部に接している。ここで、貫通孔１０２ａの径は、電気ケーブル１０７の外径よりも若干大きく形成されている。
【００２８】
また、器具本体凹部１０１を螺設などによって気密に封鎖する器具本体蓋部１０９は、中央に矩形の開口部１０９ａを有し、さらに、器具本体蓋部１０９の器具本体凹部１０１側には、凹部１０９ｂが形成されている。この凹部１０９ｂには、器具本体凹部１０１に設けられたＬＥＤランプ１０３からの光を透過させる、例えば、強化ガラスなどで構成される光透過部１０６が嵌合される。この光透過部１０６は、パッキンなどを介して器具本体蓋部１０９と器具本体凹部１０１との間に気密に挟着される。なお、ここで使用される強化ガラスは、ＬＥＤランプ１０３から出射される波長の光に対して透過率の高い材料で構成されることが好ましい。
【００２９】
続いて、ケーブル分岐本体２００の構成について説明する。
ケーブル分岐本体２００は、器具本体１００に設置されたプリント基板１０４に電気的に接続された電気ケーブル１０７の他端側を収容する底部を有するケーブル分岐本体凹部２０１を有し、ケーブル分岐本体２００の上面の器具本体１００と接する面には、器具本体１００の貫通孔１０２ｂの径よりも若干小さな外径を有する接合凸部２０２が形成されている。この接合凸部２０２には、ケーブル分岐本体凹部２０１に連通する貫通部２０２ａが開口され、この貫通部２０２ａの径は、この貫通部２０２ａに挿入される電気ケーブル１０７の外径よりも若干大きく形成されている。
【００３０】
また、この接合凸部２０２の上面は、器具本体１００の貫通孔１０２ｂに挿入されると、貫通孔１０２ｂの内壁と電気ケーブル１０７の側面との間に設けられたパッキン１０８を押圧する。そして、ケーブル分岐本体２００が器具本体１００に、例えば、螺合などによって接続される際に、その押圧力は大きくなり、貫通孔１０２ｂと貫通孔１０２ａとの境に形成される段部の面と接合凸部２０２の上面との間に挟まれたパッキン１０８は変形する。そのパッキン１０８の変形によって、貫通孔１０２ｂに挿入された電気ケーブル１０７の側面および貫通孔１０２ｂの内壁におけるパッキン１０８との接触部分が押圧され、貫通孔１０２ｂに挿入された電気ケーブル１０７の側面と貫通孔１０２ｂの内壁との間がシールされ、器具本体１００内が密閉される。
【００３１】
また、ケーブル分岐本体２００の器具本体１００との接合側と反対側には、電気ケーブル１０７が導入される方向と垂直な方向に、電気ケーブル２０３を貫設するためのケーブル貫通部２０４が設けられている。そして、このケーブル貫通部２０４に貫設された電気ケーブル２０３と電気ケーブル１０７とを電気的に接続してＬＥＤランプ１０３が配設されたプリント基板１０４に電力を供給する。
【００３２】
このケーブル貫通部２０４は、器具本体１００に設けられた貫通部１０２と同様に、２つの開口径を有する貫通孔２０４ａ、２０４ｂによって形成され、ケーブル分岐本体凹部２０１に連通する貫通孔２０４ａの方の径が貫通孔２０４ｂの径よりも小さく形成されている。
【００３３】
電気ケーブル２０３をケーブル貫通部２０４に導入する際、ケーブル貫通部２０４の径の大きな貫通孔２０４ｂには、パッキン２０５が設けられ、貫通孔２０４ｂに挿入される電気ケーブル２０３は、このパッキン２０５を介して貫通孔２０４ｂの壁部に接している。ここで、貫通孔２０４ａの径は、電気ケーブル２０３の外径よりも若干大きく形成されている。
【００３４】
また、ケーブル蓋部２０６は、一方の面に貫通孔２０４ｂの径よりも若干小さな外径を有する接合凸部２０７が形成されている。この接合凸部２０７には、ケーブル分岐本体凹部２０１に連通する貫通部２０７ａが開口され、この貫通部２０７ａの径は、この貫通部２０７ａに挿入される電気ケーブル２０３の外径よりも若干大きく形成されている。
【００３５】
この接合凸部２０７の上面は、貫通孔２０４ｂに挿入されると、貫通孔２０４ｂの内壁と電気ケーブル２０３の側面との間に設けられたパッキン２０５を押圧する。そして、ケーブル蓋部２０６がケーブル分岐本体２００に、例えば、螺合などによって接続される際に、その押圧力は大きくなり、貫通孔２０４ｂと貫通孔２０４ａとの境に形成される段部の面と接合凸部２０７の上面との間に挟まれたパッキン２０５は変形する。そのパッキン２０５の変形によって、貫通孔２０４ｂに挿入された電気ケーブル２０３の側面および貫通孔２０４ｂの内壁におけるパッキン２０５との接触部分が押圧され、貫通孔２０４ｂに挿入された電気ケーブル２０３の側面と貫通孔２０４ｂの内壁との間がシールされる。
【００３６】
また、電気ケーブル２０３は、ケーブル分岐本体凹部２０１内で、電気ケーブル１０７と、例えば、圧着結線や端子台結線などによって結線され、電気ケーブル１０７を介してＬＥＤランプ１０３が配設されたプリント基板１０４に電力を供給する。また、電気ケーブル２０３同士を結線する場合には、その結線部は、ケーブル分岐本体凹部２０１内に位置するように結線する。電気ケーブル１０７と電気ケーブル２０３との結線後、結線部は、例えば、電気絶縁部材などで被覆される。
【００３７】
ケーブル分岐本体蓋部２０８は、ケーブル分岐本体凹部２０１に、パッキンなどを介して、例えば、螺合などによって接続され、ケーブル分岐本体２００内が密閉される。
【００３８】
次に、防爆照明器具１０の動作について説明する。
防爆照明器具１０では、例えば、電源部（図示しない）から所定の直流電圧（１００Ｖ）が電気ケーブル２０３を介して供給されると、電気ケーブル１０７を介してＬＥＤランプ１０３が配設されたプリント基板１０４に電力が供給される。この際、ＬＥＤランプ１０３に必要な電圧は、９〜１２Ｖであるため、防爆照明器具１０内に設けられた電圧調整器（図示しない）などによって、供給された電圧を９〜１２Ｖの電圧にしてＬＥＤランプ１０３が配設されたプリント基板１０４に電力を供給する。そして、ＬＥＤランプ１０３に電力が供給されると、ＬＥＤランプ１０３は発光する。そして、ＬＥＤランプ１０３から出射された光は、光拡散板１０５によって拡散され、光透過部１０６を通過して外部に照射される。
【００３９】
この防爆照明器具１０の一実施の形態では、ＬＥＤランプ１０３が１２個配設された構成が示されており、この構成を備えるＬＥＤランプ１０３全体で消費される電力は、２．５Ｗ程度である。また、この防爆照明器具１０を、例えば、内径が３ｍ、天井と床間の距離が２ｍの洞道に使用した場合に照射される照度は、１〜２ルクス（ｌｘ）である。また、防爆照明器具１０に配設されるＬＥＤランプ１０３の個数は、必要に応じて増減することができ、配列構成も、例えば、矩形的、円形的、多角形的、直線的などの配列に適宜に変更してもよい。また、複数のＬＥＤランプ１０３で構成されるユニットを形成し、そのユニット化された複数のＬＥＤランプ１０３の集合体を配列してもよい。
【００４０】
一方、従来の防爆照明器具では、少なくとも消費電力が２０Ｗ程度のランプが備えられていることが一般的であり、これに比べてＬＥＤランプ１０３を備えた防爆照明器具１０では消費電力を大幅に削減することができる。
【００４１】
なお、ここでは、電源部（図示しない）から直流電圧が１００Ｖで供給される構成を示したが、例えば、電源部（図示しない）からＬＥＤランプ１０３に必要な直流電圧９〜１２Ｖを供給することも可能であり、この場合には、防爆照明器具１０内に電圧調整器などは設ける必要がない。
【００４２】
次に、上記した防爆照明器具１０を３０個連結した防爆照明システム３００について図４および５を参照して説明する。
【００４３】
ここで、図４は、防爆照明器具１０を３０個連結した防爆照明システム３００の概要の一例を示す図であり、図５は、防爆照明システム３００を洞道に設置した場合の一例を示す図である。なお、上記した一実施の形態の防爆照明器具１０と同じ構成部分には同一符号を付して、重複する説明を省略する。
【００４４】
図４に示した防爆照明システム３００は、電源部３０１と電気ケーブル２０３を介してそれぞれが電気的に並列に接続された３０個の防爆照明器具１０から構成されている。ここでは、各防爆照明器具１０を３ｍの間隔で設置している。この各防爆照明器具１０の設置間隔は、この間隔に限られるものではなく、照明器具としての機能を満たすならば、適宜に設定することができる。
【００４５】
電源部３０１は、電源部３０１に供給される、例えば、供給交流電圧１００〜２４０Ｖを直流電圧１００Ｖに整流および調整して、電気ケーブル２０３に供給するものである。また、電源部３０１は、洞道内に設置されるため、電源部３０１の構造は、防爆照明器具１０と同様に、耐圧防爆構造が採用され、防爆照明器具１０は、例えば、可燃性ガスや気化すると可燃性ガスとなる液体を圧送する配管が設置される洞道などの壁面に設置されるので、電源部３０１を構成する部材は、接触によって火花などを生じない、例えば、アルミニウム、銅などで構成される。
【００４６】
電源部３０１から直流電圧１００Ｖが供給された各防爆照明器具１０では、上記した防爆照明器具１０の動作と同様の動作により、各防爆照明器具１０から光が洞道内に照射される。
【００４７】
例えば、図５（ａ）に示すように、各防爆照明器具１０を洞道４００の天上部に設置することもできる。この場合には、主に各防爆照明器具１０が設置された位置から所定の広がりをもって洞道４００の床面を照らすことができる。
【００４８】
また、図５（ｂ）に示すように、各防爆照明器具１０を洞道４００の天上部から洞道４００の内壁に沿って側壁方向にずらして設置することもできる。この場合には、主に各防爆照明器具１０が設置された位置から所定の広がりをもって洞道４００の床面および防爆照明器具１０が設置された壁面に対向する壁面を照らすことができる。
【００４９】
さらに、防爆照明システム３００には、洞道内のガス漏れなどを検知する検知手段をさらに備え、例えば、ガス漏れなどのを検知した場合に、ＬＥＤランプによって照射する光の色を通常の色とは変えて出射し、作業者に危険を視覚的に知らせてもよい。この場合には、防爆照明システム３００を構成する各防爆照明器具１０または所定の防爆照明器具１０に、通常発光させるＬＥＤランプとは発光色の異なるＬＥＤランプを別個に備えるか、または、１つのＬＥＤランプで複数の色の発光が可能なタイプのＬＥＤランプを用いる。
【００５０】
また、この防爆照明システム３００においても、電源部３０１から直流電圧１００Ｖで供給される構成を示したが、例えば、電源部３０１からＬＥＤランプ１０３に必要な直流電圧９〜１２Ｖを供給することも可能であり、この場合には、防爆照明器具１０内に電圧調整器などは設ける必要がない。
【００５１】
上記した本発明の一実施の形態の防爆照明器具１０および防爆照明システム３００によれば、光源にＬＥＤランプを用いることによって、防爆照明器具１０で消費される電力を大幅に削減することができる。
【００５２】
また、ＬＥＤランプを光源に用いた防爆照明器具１０では、従来の蛍光ランプやＨＩＤランプなどを光源とする防爆照明器具に比べて、スタータ、点火装置および安定器などの装置を備える必要がないので、装置の小型化、軽量化、簡易化、低コスト化を図ることができる。
【００５３】
さらに、防爆照明システム３００とした場合であっても、光源にＬＥＤを用いることによって、供給する電力を大幅に削減できるので、電気ケーブル２０３における電圧降下が非常に小さく、電気ケーブル２０３を従来の蛍光ランプやＨＩＤランプなどを光源とする防爆照明システムに比べて細くすることができる。これによって、比較的長い電気ケーブル２０３を用いて設置する、例えば、洞道、トンネルでの設置工事を省力することができ、さらに低コスト化などを図ることができる。
【図面の簡単な説明】
【００５４】
【図１】本発明の一実施形態における防爆照明器具の正面を示す平面図。
【図２】図１のＡ−Ａ断面の一部を示す図。
【図３】図２のＢ−Ｂ断面を示す図。
【図４】防爆照明器具を３０個連結した防爆照明システムの概要の一例を示す図。
【図５】防爆照明システムを洞道に設置した場合の一例を示す図。
【符号の説明】
【００５５】
１０…防爆照明器具、１００…器具本体、１０１…器具本体凹部、１０２…貫通部、１０２ａ、１０２ｂ…貫通孔、１０３…ＬＥＤランプ、１０４…プリント基板、１０５…光拡散板、１０６…光透過部、１０７、２０３…電気ケーブル、１０８…パッキン、１０９…器具本体蓋部、１０９ａ…開口部、１０９ｂ…凹部、２００…ケーブル分岐本体、２０１…ケーブル分岐本体凹部、２０２…接合凸部、２０２ａ…貫通部、２０４…ケーブル貫通部、２０４ａ、２０４ｂ…貫通孔、２０５…パッキン、２０６…ケーブル蓋部、２０７…接合凸部、２０７ａ…貫通部、２０８…ケーブル分岐本体蓋部。
【図１】
2005093246.tif 000003
【図２】
2005093246.tif 000004
【図３】
2005093246.tif 000005
【図４】
2005093246.tif 000006
【図５】
2005093246.tif 000007